(57)【要約】【課題】状況に応じて外構形態を簡易な操作で変化させることができる外構塀装置を提供すること。【解決手段】複数枚の外構パネル１０と、外構パネル１０を上下方向にスライド可能なレール３５を有する一対の縦枠３１および上枠５１を有する枠体３０と、この枠体３０の下部に設けられ、複数枚の外構パネル１０を収納する外構パネル収納部２０と、枠体３０と外構パネル収納部２０で囲まれた内部で構成され、外構パネル収納部２０からレール３５に沿って外構パネル１０を１枚ずつ上方にスライドさせて複数枚の外構パネル１０を縦に積載することにより遮蔽されて外構塀６１を構成し、この外構塀６１を構成する複数の外構パネル１０をレール３５に沿って１枚ずつ下方にスライドさせて外構パネル収納部２０に収納することにより前後方向に開放される外構パネル設置部６０とを備えることを特徴としている。【選択図】図１
2012154076.tif 000002
【特許請求の範囲】
【請求項１】
複数枚の矩形板状の外構パネルと、この外構パネルの両側端部を案内し前記外構パネルを上下方向にスライド可能なレールを有する一対の縦枠およびこの一対の縦枠の上部に設けられた上枠を有する枠体と、この枠体の下部に設けられ、前記複数枚の外構パネルを収納し、前記レールとの間で前記外構パネルを移動可能な外構パネル収納部と、前記枠体と前記外構パネル収納部で囲まれた内部で構成され、前記外構パネル収納部から前記レールに沿って前記外構パネルを１枚ずつ上方にスライドさせて前記複数枚の外構パネルを縦に積載することにより遮蔽されて外構塀を構成し、この外構塀を構成する前記複数の外構パネルを前記レールに沿って１枚ずつ下方にスライドさせて前記外構パネル収納部に収納することにより前後方向に開放される外構パネル設置部とを備えることを特徴とする外構塀装置。
【請求項２】
前記外構パネルは、上端部に上側嵌合部を有するとともに下端部に下側嵌合部を有し、前記複数枚の外構パネルを縦に積載して前記外構塀を構成したときに、上下に隣接するそれぞれの前記外構パネルは、下側の前記外構パネルの前記上側嵌合部とその上に隣接する前記外構パネルの前記下側嵌合部とが嵌合されることを特徴とする請求項１に記載の外構塀装置。
【請求項３】
前記上側嵌合部は前記外構パネルの上辺に沿って延びる凸条部により構成され、前記下側嵌合部は前記外構パネルの下辺に沿って延びる溝部により構成されることを特徴とする請求項２に記載の外構塀装置。
【請求項４】
前記レールは、前記縦枠の側板部とこの側板部の内面を平行に延びる一対の凸条案内部とから構成され、前記レールにおける前記側板部には、この側板部の内面から突出し、前記複数枚の外構パネルを縦に積載して前記外構塀を構成したときに、前記凸条案内部との間で前記外構パネルを支持する突出部材を備えることを特徴とする請求項１ないし３いずれか一項に記載の外構塀装置。
【請求項５】
前記上枠は、前記複数枚の外構パネルを縦に積載して前記外構塀を構成したときに、最上段に積載された前記外構パネルの上端部が内部に入り込む凹部を下端部に有するとともに、前記凹部に収納され、前記凹部に入り込んだ外構パネルの上端部を前記上枠との間で固定する固定ブロックを備えることを特徴とする請求項１ないし４いずれか一項に記載の外構塀装置。
【請求項６】
前記外構パネル収納部は、前記レールの下部に設けられ、その上に前記外構パネルを前記レールに沿って積載可能な土台パネルを前面に備えることを特徴とする請求項１ないし５いずれか一項に記載の外構塀装置。
【請求項７】
前記外構パネル収納部は、前記土台パネルとその両側部から後方に配置された前記縦枠の側板部により囲まれた内部で構成され、前記外構パネル収納部における前記側板部の内面には、前記外構パネル収納部の上端部から後端部に渡り、前記外構パネル収納部に収納された前記複数枚の外構パネルが起立して収納されるように規制する凸条規制部が設けられていることを特徴とする請求項６に記載の外構塀装置。
【発明の詳細な説明】
【技術分野】
【０００１】
本発明は、建築物の敷地境界部等に設置される外構塀装置に関する。
【背景技術】
【０００２】
従来、家屋や庭の周囲には、外部からの視覚を遮蔽し、あるいは敷地の境界を示す等の目的で外構塀等のクローズド外構を設けることが多い。
【０００３】
外構塀の施工は、コンクリートブロックを目地にモルタル等を充填し上下左右に積載させ、あるいは型枠を形成してその中にコンクリートを打設する工法等のいわゆる湿式工法により行われている。また近年では、外構基礎上に設けた支柱にパネルを取り付けることにより外構塀を構築するいわゆる乾式工法も行われている。
【０００４】
乾式工法では、施工時のパネルの取り付け操作を容易にすることや、施工後のパネルの交換を容易にすることが望まれる場合がある。このような点を考慮した技術として、例えば特許文献１には、施工時のパネルの取り付け操作を容易にするために、外構基礎上に設けた支柱と鉛直方向にスライド自在に係合する係合部を有するパネル連結材を用いた技術が提案されている。
【０００５】
また特許文献２には、施工後のパネルの定期的な交換を容易にするために、複数の支柱に対向する桟を設けて方形状の枠部を構成し、パネルを枠部に水平移動自在に設けて枠部の側方より挿入と引き出しを行う技術が提案されている。
【０００６】
しかしながら、クローズド外構、特に外構塀は、景観として圧迫感があったり採光性が下がったりする場合がある。
【０００７】
そこで、道路に面したオープン外構や簡単な柵状の外構も用いられている。オープン外構は、採光に長ける、開放感が高まる等の長所があり、近年の戸建住宅における外構の傾向としては、オープン外構にすることが多くなってきている。
【先行技術文献】
【特許文献】
【０００８】
【特許文献１】特開平０９−１７７３８０号公報
【特許文献２】実用新案登録第３１５６１５５号公報
【発明の概要】
【発明が解決しようとする課題】
【０００９】
しかしながら、オープン外構は、庭をプライベートな空間として活用しにくくなる場合がある。例えば、洗濯干し等の作業や、バーベキュー等のイベントのようなプライベートな作業やイベントをしづらい場合がある。
【００１０】
そのため、状況に応じてオープン外構とクローズド外構に外構形態を変化させることができれば望ましい。例えば、採光や開放感を高めることを望む状況では外構形態をオープン外構とし、プライベートな作業やイベントを行うときには外構形態をクローズド外構とすることができれば望ましい。
【００１１】
しかしながら、簡易な操作で外構形態を頻繁に変化させることができる構成、特にパネルの組み立ておよび取り外しを容易に行えることを考慮した構成は従来提案されていない。
【００１２】
本発明は、以上の通りの事情に鑑みてなされたものであり、状況に応じて外構形態を簡易な操作で変化させることができる外構塀装置を提供することを課題としている。
【課題を解決するための手段】
【００１３】
上記の課題を解決するために、本発明の外構塀装置は、複数枚の矩形板状の外構パネルと、この外構パネルの両側端部を案内し外構パネルを上下方向にスライド可能なレールを有する一対の縦枠およびこの一対の縦枠の上部に設けられた上枠を有する枠体と、この枠体の下部に設けられ、複数枚の外構パネルを収納し、レールとの間で外構パネルを移動可能な外構パネル収納部と、枠体と外構パネル収納部で囲まれた内部で構成され、外構パネル収納部からレールに沿って外構パネルを１枚ずつ上方にスライドさせて複数枚の外構パネルを縦に積載することにより遮蔽されて外構塀を構成し、この外構塀を構成する複数の外構パネルをレールに沿って１枚ずつ下方にスライドさせて外構パネル収納部に収納することにより前後方向に開放される外構パネル設置部とを備えることを特徴としている。
【００１４】
この外構塀装置においては、外構パネルは、上端部に上側嵌合部を有するとともに下端部に下側嵌合部を有し、複数枚の外構パネルを縦に積載して外構塀を構成したときに、上下に隣接するそれぞれの外構パネルは、下側の外構パネルの上側嵌合部とその上に隣接する外構パネルの下側嵌合部とが嵌合されることが好ましい。
【００１５】
この外構塀装置においては、上側嵌合部は外構パネルの上辺に沿って延びる凸条部により構成され、下側嵌合部は外構パネルの下辺に沿って延びる溝部により構成されることが好ましい。
【００１６】
この外構塀装置においては、レールは、縦枠の側板部とこの側板部の内面を平行に延びる一対の凸条案内部とから構成され、レールにおける側板部には、この側板部の内面から突出し、複数枚の外構パネルを縦に積載して外構塀を構成したときに、凸条案内部との間で外構パネルを支持する突出部材を備えることが好ましい。
【００１７】
この外構塀装置においては、上枠は、複数枚の外構パネルを縦に積載して外構塀を構成したときに、最上段に積載された外構パネルの上端部が内部に入り込む凹部を下端部に有するとともに、凹部に収納され、凹部に入り込んだ外構パネルの上端部を上枠との間で固定する固定ブロックを備えることが好ましい。
【００１８】
この外構塀装置においては、外構パネル収納部は、レールの下部に設けられ、その上に外構パネルをレールに沿って積載可能な土台パネルを前面に備えることが好ましい。
【００１９】
この外構塀装置においては、外構パネル収納部は、土台パネルとその両側部から後方に配置された縦枠の側板部により囲まれた内部で構成され、外構パネル収納部における側板部の内面には、外構パネル収納部の上端部から後端部に渡り、外構パネル収納部に収納された複数枚の外構パネルが起立して収納されるように規制する凸条規制部が設けられていることが好ましい。
【発明の効果】
【００２０】
本発明の外構塀装置によれば、状況に応じて外構形態を簡易な操作で変化させることができる。
【図面の簡単な説明】
【００２１】
【図１】本発明の外構塀装置の実施形態を示した図であり、（ａ）は外構パネル設置部を外構パネルで遮蔽して外構塀を構成した状態を示す正面図、（ｂ）はそのＡ−Ａ線断面図である。
【図２】（ａ）は図１の外構塀装置の外構パネルを外構パネル収納部に収納して外構パネル設置部を開放した状態を示す正面図、（ｂ）はそのＡ−Ａ線断面図である。
【図３】図１の外構塀装置の外構パネルを外構パネル収納部に収納して外構パネル設置部を開放した状態を示す斜視図である。
【図４】図１の外構塀装置の上段と中断の縦断面図である。
【図５】（ａ）は図１の外構塀装置の下段の縦断面図、（ｂ）はその斜視図である。
【図６】（ａ）、（ｂ）は外構パネルの構成の一例を示す縦断面図である。
【図７】外構パネル同士の嵌合状態を示す縦断面図である。
【図８】（ａ）〜（ｈ）は図１の外構塀装置の外構パネルを外構パネル設置部に設置する組み立ての流れを示す縦断面図である。
【図９】本発明の外構塀装置の別の実施形態を示す上段と中段の縦断面図である。
【図１０】（ａ）、（ｂ）は本発明の外構塀装置の別の実施形態における外構パネル同士の嵌合状態を示す縦断面図である。
【発明を実施するための形態】
【００２２】
以下に、図面を参照しながら本発明の実施形態について説明する。
【００２３】
図１〜図８は、本発明の外構塀装置の実施形態を示した図であり、図１（ａ）は外構パネル設置部を外構パネルで遮蔽して外構塀を構成した状態を示す正面図、図１（ｂ）はそのＡ−Ａ線断面図である。図２（ａ）は外構パネルを外構パネル収納部に収納して外構パネル設置部を開放した状態を示す正面図、図２（ｂ）はそのＡ−Ａ線断面図、図３はその斜視図である。図４は外構塀装置の上段と中段の縦断面図、図５（ａ）は下段の縦断面図、図５（ｂ）は下段の拡大斜視図である。図６（ａ）、図６（ｂ）は外構パネルの構成の一例を示す縦断面図、図７は外構パネル同士の嵌合状態を示す縦断面図である。図８（ａ）〜図８（ｈ）は外構塀装置の外構パネルを外構パネル設置部に設置する組み立ての流れを示す縦断面図である。
【００２４】
図１〜図３に示すように、この外構塀装置１は、複数枚の外構パネル１０と、枠体３０と、外構パネル収納部２０と、外構パネル設置部６０とを備えている。
【００２５】
枠体３０は、外構パネル収納部２０の両端部から上方に平行に延びる一対の縦枠３１を左右に備え、一対の縦枠３１の上部にこれらを連結するように設置される上枠５１を備えている。一対の縦枠３１は、外構パネル１０の両側端部を案内し外構パネル１０を上下方向にスライド可能なレール３５が対向して設けられている。
外構パネル収納部２０は、枠体３０の下部に設けられ、複数枚の外構パネル１０を面合わせで並べて収納する。外構パネル１０は、外構パネル収納部２０とレール３５との間で上下に移動可能である。
【００２６】
外構パネル設置部６０は、枠体３０と外構パネル収納部２０で囲まれた内部で構成される。
【００２７】
この外構塀装置１は、図２に示すように外構パネル収納部２０に収納された複数枚の外構パネル１０を縦枠３１のレール３５に沿って１枚ずつ上方にスライドさせることにより、図１に示すように複数枚の外構パネル１０が縦に積載される。これにより、図１に示すように外構パネル設置部６０が縦に積載された複数枚の外構パネル１０で遮蔽されて外構塀６１（クローズド外構６１）を構成する。
【００２８】
そして図１に示すように外構塀６１を構成した状態から、外構塀６１を構成する複数枚の外構パネル１０を縦枠３１のレール３５に沿って１枚ずつ下方にスライドさせて、外構パネル収納部２０に収納することができる。これにより、図１に示すように外構パネル設置部６０は前後に開放され、オープン外構６２を構成する。
【００２９】
このように、外構パネル１０を縦枠３１のレール３５に沿って上下に移動させ、外構パネル設置部６０への外構パネル１０の設置と外構パネル収納部２０への外構パネル１０の収納の操作を容易に行うことができる。従って、状況や目的に応じて外構形態を外構塀６１とオープン外構６２のいずれかに容易に変更することができる。
【００３０】
そして複数枚の外構パネル１０は、枠体３０と一体に設置された外構パネル収納部２０に全て収納されるので、外構パネル１０をコンパクトな構成で収納保管することができる。
【００３１】
この外構塀装置１の複数枚の外構パネル１０は、横方向に長い矩形の板状であり、この実施形態では４枚の外構パネル１０を用いている。４枚の外構パネル１０は、外構塀６１を構成したときに最下段に設置される下段パネル１０ａと、その上へ順に積載される中段パネル１０ｂ，１０ｃと、最上段に積載される上段パネル１０ｄであり、それぞれ同一形状とされている。
【００３２】
外構パネル１０は、縦枠３１のレール３５に沿ったスライドを容易にするために軽量の材料により形成することができる。このような材料として、例えば、薄い鋼板等の金属薄板や発泡樹脂等の樹脂等を用いることができる。
【００３３】
例えば、図６（ａ）に示すように、外構パネル１０の外形を構成するように成型された薄い鋼板の外装材１６の内部にウレタン等の発泡樹脂の芯材１７を充填した外構パネル１０を用いることができる。あるいは、図６（ｂ）に示すように、外構パネル１０の外形を構成するように成型された薄い鋼板の外装材１６の内部にリブ１８を設けて補強した中空の外構パネル１０を用いることができる。
【００３４】
外構パネル１０は、例えば、高さ２００〜６００ｍｍ、厚み５〜５０ｍｍ、幅４００〜２０００ｍｍとすることができる。
【００３５】
外構パネル１０は、図６および図７に示すように、上端部に上側嵌合部１１ａが設けられ、下端部に下側嵌合部１１ｂが設けられている。上側嵌合部１１ａは、外構パネル１０の上辺に沿って延びる凸条部１２により構成され、下端部の下側嵌合部１１ｂは、外構パネル１０の下辺に沿って延びる溝部１３により構成されている。そして図１に示すように外構塀６１を構成する際には、図７に示すように、下側の外構パネル１０の上側嵌合部１１ａとその上に隣接する外構パネル１０の下側嵌合部１１ｂとが嵌合される。より具体的には、下側の外構パネル１０の凸条部１２に上側の外構パネル１０の溝部１３を嵌合して縦に積載されるようになっている。
【００３６】
このように上側嵌合部１１ａを凸条部１２とすることで、図７に示すように外構パネル１０同士を積載したときに、下側の外構パネル１０の上側嵌合部１１ａとその上の外構パネル１０の下側嵌合部１１ｂとの間に水溜まりが発生することを抑制することができる。
【００３７】
なお、上段パネル１０ｄは他の外構パネル１０との嵌合の点では必ずしも上側嵌合部１１ａを設ける必要はないが、他の外構パネル１０と同様に上側嵌合部１１ａを設けて同一形状とすることで中段パネル１０ｂ，１０ｃや下段パネル１０ａと共用することができる。また後述する図４に示すように固定ブロック５３を用いて上枠５１に上段パネル１０ｄを固定することもできる。
【００３８】
この外構塀装置１の枠体３０の縦枠３１は、図１に示すように外構パネル設置部６０に外構パネル１０を設置した際に外構パネル１０を支持するとともに、縦枠３１に設けられたレール３５に沿って外構パネル１０を上下にスライドさせる。外構パネル１０を上下方向にスライドさせることにより、外構パネル設置部６０に複数枚の外構パネル１０を縦に積載して外構塀６１を構成し、また外構パネル１０を外構パネル収納部２０に収納することができる。
【００３９】
縦枠３１は、容易に変形しない硬質材料、例えば、ステンレス、アルミニウム等の金属、塩化ビニル樹脂発泡押出材（木粉入りも含む）等の樹脂、木材等を用いて形成することができる。
【００４０】
縦枠３１は、側板部３２と、側板部３２の内面を両側端部から平行に延びる一対の凸条案内部３３，３４とを備えている。凸条案内部３３は外構塀装置１の前面側に配置され、凸条案内部３４は背面側に配置されている。これらの側板部３２と凸条案内部３３，３４により、外構パネル１０を上下に案内するレール３５が構成されている。
【００４１】
縦枠３０のレール３５は、縦枠３１の側板部３２の内面から突出する突出部材３８を備えている。突出部材３８は、複数枚の外構パネル１０を縦に積載して外構塀６１を構成したときに、凸条案内部３３との間で外構パネル１０を支持する。
【００４２】
突出部材３８は、レール３５に沿って上下方向に複数個が設置され、具体的には下段パネル１０ａおよび中段パネル１０ｂ，１０ｃの積載位置に対応して設置される。例えば、図４に示すように、下段パネル１０ａおよび中段パネル１０ｂ，１０ｃが積載されて外構塀６１を構成したときに、これらの上端部に近い高さ位置となるように突出部材３８を設置することができる。突出部材３８を設けることにより、図４に示すように、下段パネル１０ａおよび中段パネル１０ｂ，１０ｃが凸条案内部３３，３４の間で倒れて傾斜したり、あるいはガタツキを起こしたりすることを抑制することができる。
【００４３】
図４に示すように、突出部材３８には、固定部材３９を挟むこともできる。固定部材３９は、例えば、側面視がＵ字形状、Ｌ字形状、もしくは楔形状のピース材または長尺材を用いることができる。突出部材３８に固定部材３９を挟むことで、下段パネル１０ａおよび中段パネル１０ｂ，１０ｃは、凸条案内部３３との間でさらに強固に保持される。すなわち下段パネル１０ａおよび中段パネル１０ｂ，１０ｃの背面部と突出部材３８との隙間に固定部材３９を噛ませることで下段パネル１０ａおよび中段パネル１０ｂ，１０ｃを凸条案内部３４に押し付け保持することができる。従って、凸条案内部３３，３４の間で倒れて傾斜したり、あるいはガタツキを起こしたりすることをさらに抑制することができる。
【００４４】
なお、突出部材３８は、図３の外構パネル設置部６０内に点線で示したように左右の縦枠３１に連続して棒状に設けるようにしてもよい。
【００４５】
上枠５１は、縦枠３１の上部に着脱可能に設けられている。上枠５１は、図４に示すように、下端部に辺に沿った凹部５２が設けられている。この凹部５２には、外構パネル設置部６０に複数枚の外構パネル１０を縦に積載して外構塀６１を構成したときに、上段パネル１０ｄの上端部が入り込むようになっている。
【００４６】
そして上枠５１は、固定ブロック５３を備えている。固定ブロック５３は、上段パネル１０ｄの上側嵌合部１１ａに嵌合する嵌合部５４を下部に有し、嵌合部５４は、具体的には上側嵌合部１１ａを構成する凸条部１２に嵌合する溝形状になっている。そして固定ブロック５３の外形は上枠５１の凹部５２に沿った形状になっている。なお、固定ブロック５３は、例えば、上枠５１の長手方向に沿った長さが上枠５１の長手方向全体とほぼ同じ長い形状であってよい。あるいは、固定ブロック５３は、上枠５１の長手方向に沿った長さが比較的短いものであってもよく、例えば複数個の固定ブロック５３を上枠５１の長手方向に沿って配置するようにしてもよい。
【００４７】
外構塀６１を組み立てる際には、まず外構パネル設置部６０に下段パネル１０ａ、中段パネル１０ｂ，１０ｃ、上段パネル１０ｄをこの順に積載する。その後、縦枠３１から上枠５１を取り外した状態で上段パネル１０ａの上側嵌合部１１ａに固定ブロック５３を嵌合し、さらにその上から上枠５１を被せて縦枠３１に装着する。これにより上段パネル１０ｄが固定ブロック５３を介して上枠５１に保持される。従って、上枠５１が凸条案内部３３，３４の間で倒れて傾斜したり、あるいはガタツキを起こしたりすることを抑制することができる。
【００４８】
この外構塀装置１の外構パネル収納部２０は、図５に示すように、前面の土台パネル２１とその両側部から後方に配置された縦枠３１の側板部３２により囲まれた内部で構成されている。
【００４９】
土台パネル２１は、レール３５の下部に凸条案内部３３に沿って設けられ、その上に外構パネル１０をレール３５に沿って積載することができる。
【００５０】
土台パネル２１は、外構パネル１０と同様に上側嵌合部１１ａを有し、この上側嵌合部１１ａは土台パネル２１の上辺に沿って延びる凸条部１２により構成されている。これにより、土台パネル２１の上側嵌合部１１ａに下段パネル１０ａの下側嵌合部１１ｂを嵌合して縦に積載することができる。
【００５１】
このように土台パネル２１は、外構パネル１０の収納時の目隠しとしての機能と、外構塀６１を組み立てる際の土台としての機能を併せ持つ。土台パネル２１は、例えば、外構パネル１０と同様の材料により作製することができる。
【００５２】
外構パネル収納部２０における縦枠３１の側板部３２は、レール３５の幅よりもその幅が後方に広くなっている。この後方に幅の広い側板部３２に複数枚の外構パネル１０を収納できるようになっている。
【００５３】
外構パネル収納部２０における側板部３２の内面には、凸条規制部４０が設けられている。凸条規制部４０は、外構パネル収納部２０に収納された複数枚の外構パネル１０が面並びで側板部３２に起立して重なるように規制し、かつ外構パネル１０の上方への抜けや後方への倒れ込みを抑制する。すなわち、図５（ａ）の点線で囲った範囲にある凸条規制部４０は、縦枠３１の凸条案内部３４に連続し、外構パネル収納部２０の上端部から後端部に渡って設けられている。
【００５４】
外構パネル収納部２０は、外構パネル入出口４２を通じてレール３５に外構パネル１０を取り出し、またレール３５から外構パネル１０を収納することができる。また、凸条規制部４０には、図５に示すように外構パネル入れ替え口４１が設けられている。この外構パネル入れ替え口４１から外構パネル１０の取り出しと挿入が可能であり、外構パネル収納部２０内の外構パネル１０の交換等を行うことができる。
【００５５】
以下に、外構塀６１の組み立て操作について図８を参照しながら具体的に説明する。まず図８（ａ）に示すように、外構パネル収納部２０に収納された外構パネル１０のうち下段パネル１０ａを外構パネル入出口４２から上方に、土台パネル２１に沿わせながらレール３５に引き出す。
【００５６】
そして図８（ｂ）に示すように、下段パネル１０ａの上端部側をレール３５の凸条案内部３３に沿わせながらレール３５に沿って上方にスライドさせる。そして図８（ｃ）に示すように、図５に示す土台パネル２１の上側嵌合部１１ａに下段パネル１０ａの下側嵌合部１１ｂを嵌合させるとともに凸条案内部３３と突出部材３８との間を通して縦に積載する。
【００５７】
次に、図８（ｄ）に示すように、外構パネル収納部２０に収納された外構パネル１０のうち中段パネル１０ｂを外構パネル入出部４２から上方に引き出し、土台パネル２１とその上の下段パネル１０ａに沿わせながらレール３５沿って上方にスライドさせる。
【００５８】
そして図８（ｅ）に示すように、中段パネル１０ｂの上端部側をレール３５の凸条案内部３３に沿わせながらレール３５沿って上方にスライドさせる。そして図８（ｆ）に示すように、図４に示す下段パネル１０ａの上側嵌合部１１ａに中段パネル１０ｂの下側嵌合部１１ｂを嵌合させるとともに凸条案内部３３と突出部材３８との間を通して縦に積載する。
【００５９】
同様に中段パネル１０ｃを中段パネル１０ｂの上に積載した後、図８（ｇ）に示すように、上段パネル１０ｄを外構パネル入出口４２から上方に引き出し、土台パネル２１とその上の下段パネル１０ａ、中段パネル１０ｂ、中段パネル１０ｃに沿わせながらレール３５沿って上方にスライドさせる。そして図８（ｈ）に示すように、上段パネル１０ｄを中段パネル１０ｃの上に縦に積載することにより、外構パネル設置部６０は遮蔽されて図１に示すように外構塀６１を構成する。
【００６０】
なお、外構塀６１を構成した状態から外構パネル１０の組み立てを解除し外構パネル収納部２０に収納するときは、外構パネル１０を一旦やや引き上げて嵌合を解除し、その後レールに沿ってスライドさせて１枚ずつ収納することができる。
【００６１】
この実施形態の外構塀装置１においては、複数枚の外構パネル１０を上下方向にスライド可能なレール３５を設けて、外構パネル１０の積載による外構塀６１の構成と、外構パネル収納部２０に収納することによるオープン外構６２を可能としている。従って、状況に応じて外構形態を簡易な操作で変化させることができる。
【００６２】
また、この実施形態の外構塀装置１においては、外構パネル１０は、上端部に上側嵌合部１１ａを有するとともに下端部に下側嵌合部１１ｂを有する構成としている。そして複数枚の外構パネル１０を縦に積載して外構塀６１を構成したときに、上下に隣接するそれぞれの外構パネル１０は、下側の外構パネル１０の上側嵌合部１１ａとその上に隣接する外構パネル１０の下側嵌合部１１ｂとが嵌合される。従って、複数枚の外構パネル１０を安定して縦に積載し外構塀６１を構成することができる。
【００６３】
また、この実施形態の外構塀装置１においては、上側嵌合部１１ａは外構パネル１０の上辺に沿って延びる凸条部１２により構成され、下側嵌合部１１ｂは外構パネル１０の下辺に沿って延びる溝部１３により構成される。従って、複数枚の外構パネル１０を安定して縦に積載し外構塀６１を構成することができるとともに、上側嵌合部１１ａを凸条部１２とすることで上側嵌合部１１ａでの水溜まりの発生を抑制することができる。
【００６４】
また、この実施形態の外構塀装置１においては、レール３５は、縦枠３１の側板部３２とこの側板部３２の内面を平行に延びる一対の凸条案内部３３，３４とから構成されている。そしてレール３５における側板部３２には、この側板部３２の内面から突出し、複数枚の外構パネル１０を縦に積載して外構塀６１を構成したときに、凸条案内部３３との間で外構パネル１０を支持する突出部材３８を備えている。従って、凸条案内部３３と突出部材３８との間で外構パネル１０を支持し、外構パネル１０の倒れやガタツキを抑制することができる。
【００６５】
また、この実施形態の外構塀装置１においては、上枠５１は、複数枚の外構パネル１０を縦に積載して外構塀６１を構成したときに、最上段に積載された外構パネル１０の上端部が内部に入り込む凹部５２を下端部に有するとともに、凹部５２に収納され、凹部５２に入り込んだ外構パネル１０の上端部を上枠５１との間で固定する固定ブロック５３を備える。従って、固定ブロック５３により最上段に積載された外構パネル１０を支持し、最上段に積載された外構パネル１０の倒れやガタツキを抑制することができる。
【００６６】
また、この実施形態の外構塀装置１においては、外構パネル収納部２０は、レール３５の下部に設けられ、その上に外構パネル１０をレール３５に沿って積載可能な土台パネル２１を前面に備えている。従って、外構パネル１０の収納時の目隠しとして機能し、さらに外構塀６１を組み立てる際の土台として機能することができる。
【００６７】
また、この実施形態の外構塀装置１においては、外構パネル収納部２０は、土台パネル２１とその両側部から後方に配置された縦枠３１の側板部３２により囲まれた内部で構成され、外構パネル収納部２０における側板部３２の内面には、外構パネル収納部２０の上端部から後端部に渡り、外構パネル収納部２０に収納された複数枚の外構パネル１０が起立して収納されるように規制する凸条規制部４０が設けられている。従って、外構パネル１０の倒れを抑制し、コンパクトに収納することができ、外構パネル収納部２０からレール３５への外構パネル１０の引き出し操作も容易である。
【００６８】
図９は、本発明の外構塀装置の別の実施形態を示す上段と中段の縦断面図である。
この実施形態では、上枠５１の固定ブロック５３は上枠５１の凹部５２内に設けられた固定ブロック収納部５６に前後方向にスライド可能に収納されている。
【００６９】
外構塀６１を組み立てる際には、まず外構パネル設置部６０に下段パネル１０ａ、中段パネル１０ｂ，１０ｃ、上段パネル１０ｄをこの順に積載する。その後、上枠５１の凹部５２内に入り込んだ上段パネル１０ｄの上端部を固定ブロック５３により凸条案内部３３の方向にスライドさせて押し付ける。これにより上段パネル１０ｄが固定ブロック５３に押されて保持される。なお、固定ブロック５３は、例えば、上枠５１の長手方向に沿った長さが上枠５１の長手方向全体とほぼ同じ長い形状であってよい。あるいは、固定ブロック５３は、上枠５１の長手方向に沿った長さが比較的短いものであってもよく、例えば複数個の固定ブロック５３を上枠５１の長手方向に沿って配置するようにしてもよい。
【００７０】
そして、下段パネル１０ａおよび中段パネル１０ｂ，１０ｃを支持する突出部材３８として、回転式のものを用いている。この突出部材３８は、長手方向が板形状になっており、この板の一端部が長手方向に沿って回転軸となるように縦枠３１へ回転可能に支持されている。すなわち、下段パネル１０ａおよび中段パネル１０ｂ，１０ｃは、これらを積載した後、突出部材３８を回転軸３８ａを中心として回転させることにより下段パネル１０ａおよび中段パネル１０ｂ，１０ｃを凸条案内部３３の方向に押し付けて固定される。
【００７１】
以上のように、この実施形態の外構塀装置１においては、前後方向にスライド可能な固定ブロック５３を上枠５１に設けている。従って、上枠５１が凸条案内部３３，３４の間で倒れて傾斜したり、あるいはガタツキを起こしたりすることを抑制することができる。
なお、固定ブロック５３をスライドさせる構成に代えて、固定ブロック５３を回転させることで上段パネル１０ｄの上端部を凸条案内部３３の方向に押し付ける構成とすることもできる。
また、この実施形態の外構塀装置１においては、下段パネル１０ａおよび中段パネル１０ｂ，１０ｃを支持する回転式の突出部材３８を用いている。従って、凸条案内部と突出部材との間で外構パネルを支持し、外構パネルの倒れやガタツキを抑制することができる。
【００７２】
図１０（ａ）、（ｂ）は本発明の外構塀装置の別の実施形態における外構パネル同士の嵌合状態を示す縦断面図である。
【００７３】
図１０（ａ）では、外構パネル１０における上側嵌合部１１ａを山形の凸条部１２により構成し、下側嵌合部１１ｂを谷型の溝部１３により構成している。図１０（ｂ）では、外構パネル１０における上側嵌合部１１ａを凸条部１２により構成し、下側嵌合部１１ｂを溝部１３により構成するとともに、凸条部１２に膨出部１４を設け溝部１３に係止部１５を設けている。そして外構パネル１０同士を積載する際には、下側の外構パネル１０の上側嵌合部１１ａに上側の外構パネル１０の溝部１３が嵌合するとともに、膨出部１４が係止部１５により係止されるようになっている。
【００７４】
この実施形態の外構塀装置１においては、以上のような構成とすることで、複数枚の外構パネル１０を安定して縦に積載し外構塀６１を構成することができる。
【００７５】
以上に、実施形態に基づき本発明について説明したが、本発明はこれらの実施形態に限定されるものではなく各種の変更が可能である。
【符号の説明】
【００７６】
１  外構塀装置
１０  外構パネル
１１ａ  上側嵌合部
１１ｂ  下側嵌合部
１２  凸条部
１３  溝部
２０  外構パネル収納部
２１  土台パネル
３０  枠体
３１  縦枠
３２  側板部
３３  凸条案内部
３４  凸条案内部
３５  レール
３８  突出部材
３９  固定部材
４０  凸条規制部
５１  上枠
５３  固定ブロック
６０  外構パネル設置部
６１  外構塀（クローズド外構）
【図１】
2012154076.tif 000003
【図２】
2012154076.tif 000004
【図３】
2012154076.tif 000005
【図４】
2012154076.tif 000006
【図５】
2012154076.tif 000007
【図６】
2012154076.tif 000008
【図７】
2012154076.tif 000009
【図８】
2012154076.tif 000010
【図９】
2012154076.tif 000011
【図１０】
2012154076.tif 000012